(57)【要約】      （修正有）【課題】既存品に比べ構造が簡単で、接続が便利で、安定して使用でき、精度に対する要求も大幅に低減され、修理・交換が便利で、低価格でより強い市場競争力を有する釣り糸リール往復機構及びそれを用いた紡ぎ車式釣り糸リールを提供する。【解決手段】紡ぎ車式釣り糸リールは、ケーシング２２、ハンドル５、ローター２３、スプール２、および釣り糸リール往復機構を含む。当該釣り糸リール往復機構は、後端が動けるようにリールの中に挿入され、前端がリール上のスプール２との連結に用いられ、且つ往復ねじ３が設置されている主軸１と、リールの中に設置され、リール上のハンドル５と伝動連結されるウォームディスク４と、主軸１上に嵌め込まれて設置され、ウォームディスク４と噛み合い、挿入溝が設置されているウォーム６と、往復ねじ３とフィッティングする接続ラッチを有し、上記接続ラッチは上記挿入溝を通り抜け、往復ねじ３と噛み合う滑り爪８を含む。【選択図】図１
2020198866.tif 000002
【特許請求の範囲】
【請求項１】
後端が動けるようにリールの中に挿入され、前端がリール上のスプールとの連結に用いられ、且つ往復ねじが設置されている主軸と、
リールの中に設置され、リール上のハンドルと伝動連結されるウォームディスクと、
前記主軸上に嵌め込まれて設置され、前記ウォームディスクと噛み合い、挿入溝が設置されているウォームと、
往復ねじとフィッティングする接続ラッチを有し、この接続ラッチは前記挿入溝を通り抜け、前記往復ねじと噛み合う滑り爪を含む、
ことを特徴とする釣り糸リールの往復機構。
【請求項２】
さらに一つのシールドリングを含み、前記ウォーム上には固定スリーブが嵌め込まれて設置され、前記固定スリーブの周上には凹溝が設置され、前記凹溝の位置は前記挿入溝の位置と対応しており、前記シールドリングは前記凹溝に嵌め込まれ、挿入溝中に挿し込まれる滑り爪を押し付ける、ことを特徴とする請求項１に記載の釣り糸リールの往復機構。
【請求項３】
さらに、１つのリールの中に固定されるアクティブリミットブロックを含み、前記主軸の後端には扁平区切りがあり、前記アクティブリミットブロック上には扁平区切りとフィッティングするリミット穴が設置され、前記扁平区切りは前記リミット穴に挿し込まれ、リミット穴に沿って前後移動することができる、ことを特徴とする請求項１に記載の釣り糸リールの往復機構。
【請求項４】
前記アクティブリミットブロックの前端にはロッキング溝が設置され、前記ロッキング溝の中には第１ライナーが設置され、当該第１ライナーは前記主軸上に嵌め込まれて設置され、
前記主軸の前部には軸受け固定シートが設置され、前記軸受け固定シート上には第２ライナーとローター軸受けが設置され、前記ローター軸受けはリールのローターと突き合わせ接続される、ことを特徴とする請求項３に記載の釣り糸リールの往復機構。
【請求項５】
さらに、保持ブロックを含み、当該保持ブロックは前記アクティブリミットブロックのフロント側に位置され、前記保持ブロック上には貫通穴が設置され、前記主軸は貫通穴を通り抜けてから再びアクティブリミットブロックのリミット穴に挿入され、前記貫通穴中には第１ウォーム軸受けと第３ライナーが設置され、前記第３ライナーは前記主軸上に嵌め込まれて設置され、前記第１ウォーム軸受けは前記ウォーム上に嵌め込まれて設置され、前記ウォームの前部にはまた第２ウォーム軸受けが嵌め込まれて設置される、ことを特徴とする請求項３に記載の釣り糸リールの往復機構。
【請求項６】
ケーシング又はケーシング片側に接続され、ウォームディスクと伝動連結されるハンドル、ケーシングの前端に位置し、ウォームと固定連結されるローター、ローターの中に位置し、主軸と固定連結されるスプール、および糸放しを停止させるブレーキ機構を含み、請求項１〜５の何れかに記載のリール往復機構を含む、ことを特徴とする紡ぎ車式リール。
【発明の詳細な説明】
【技術分野】
【０００１】
本発明は釣り糸リールの技術分野に関するものであり、特に釣り糸リールの往復機構およびこの往復機構を用いた紡ぎ車式釣り糸リールに関するものである。
【背景技術】
【０００２】
魚釣りは、釣り具で水の中の魚を釣り上げることを目的とする戸外スポーツの一種であり、魚釣りは性別と年齢の制限を受けないので、大人も子供も皆好きである。魚釣りは自然に親しく、人格の陶冶にも繋がるので、多くの愛好家に好まれている。
【０００３】
リールは大まかに糸配列方向が糸の進出方向と平行するドラム式ホイールと、糸配列方向が糸の進出方向と垂直する紡ぎ車式ホイールの２種類からなる。リールを釣り竿に取り付けた後、糸軸の形態を観察する。バスバーを巻く／放す時に、スプールが直接回転するのみバスバーを巻く／放すことができ、それと同時に、バスバーをスプールに巻き入れる時に大角度の方向変化が要らなく、ほとんど平行する方向に巻き入れられるものであるが、これがドラム式リールである。これに対し、バスバーが進出する時に、スプールが回転する必要はなく（但しある時、糸を放す時に回転する場合もある）、バスバーを取り巻く動作は糸巻きアームによって行われ、バスバーがスプールに入る時に必ずおよそ９０度の角度を回らなければならないが、このような機材を紡ぎ車式リールと言う。
【０００４】
紡ぎ車式リールは、海釣りとルアー釣り、および湖釣りに多く使われている。その特徴としては、操作が簡単で、使い慣れると、目を使わず、手の感じだけで行えるということである。投げる時の阻害力が小さく、比較的軽い釣り具を投げることができ、糸が乱れ難い。紡ぎ車式リールは使用時、スプールがいつも往復運動する必要がないので、釣り糸を遠くまで投げることができる。
【０００５】
既存の釣り用の紡ぎ車式リールの構造としては、一般的に、本体と、本体の片側に設置されるハンドル、本体の中に設置される横方向のハンドル回転軸および縦方向で前記ハンドル回転軸と垂直する往復ロッドを含み、ハンドルとハンドル回転軸を連結することによって、ハンドルを回せてハンドル回転軸の回転を駆動することができ、ハンドル回転軸上には駆動ギアが設置され、駆動ギアは本体の中に設置される一つの受動ギアと噛み合い、受動ギア上には偏心カラムが設置されており、往復ロッドの下端にはスライドブロックが設置され、スライドブロック上には横方向のスロットが設置され、偏心カラムはスロット中に位置される。ハンドル回転軸上にはウォームギアも設置され、往復ロッド上にはウォームが嵌合設置され、ウォームギアとウォームが噛み合う。ウォームの外側には糸巻きスプールが嵌れ、糸巻きスプールはウォームに固定連結され、往復ロッド上には糸巻きスプールの上方に位置される糸巻きドラムも嵌れており、糸巻きドラムは往復ロッドに連結され、これによって往復ロッドと共に往復運動する。ハンドルを回すと、ハンドル回転軸が回り、ハンドル回転軸が回ると駆動ギアも回転し、これによってそれと噛み合う受動ギアも回転し、受動ギア上の偏心カラムはスロットの中でスライディングし、これによってスライドブロックを動かして上下往復運動することになり、スライドブロックとピン連結される往復ロッドが上下往復運動することになり、往復ロッド上に移動可能に連結された糸巻きドラムの上下往復運動も実現できる。それと同時に、ハンドル回転軸が回ると、ウォームギアがウォームを回転させて、往復ロッドも回転することになり、往復ロッドに固定連結されている糸巻きスプールもウォームの回転と共に回転される。例えば、出願番号：ＣＮ２０１２１０５４８５１３．７の発明特許には、往復機構を有する釣り用紡ぎ車式リールが開示されており、添付図５−８のとおり、往復ロッドの往復運動を実現するために、偏心カラムとＳ型のスロットを使用している。
【０００６】
また、市販の製品には両軸を用いて往復運動を実現する構造も現れているが、例えば、出願番号：ＣＮ２０１７１１１４３５６９．３の発明特許には、紡ぎ車式リールの往復移動機構および当該構造を有する紡ぎ車式リールが開示されており、当該発明の往復移動機構はハンドルの回転によって、糸巻きドラムが取り付けられている糸巻きドラム軸がリール本体に対し、糸巻きドラム軸の軸方向上で往復移動する機構であり、回転部品や、スライドブロック、第１先軸、および弾性部品からなる。回転部品にはロッキング部があり、ハンドルの回転によって回転される。スライドは糸巻きドラム軸に連結され、回転部品のロッキング部とロッキングされる被ロッキング部があり、回転部品の回転と連動されるように糸巻きドラム軸と共に軸方向上で往復移動する。第１先軸の両端には第１支持部と第２支持部があり、第１支持部と第２支持部との間の中間部にてスライドブロックを支えるとともに、スライドブロックの往復移動をガイディングする。弾性部品は第１支持部と第２支持部中の少なくとも１つの外周に取り付けられ、第１先軸をリール本体に支える。
【０００７】
要するに、上記２種の紡ぎ車式リールの往復機構の全体構造は比較的煩雑であり、部品数も多く、その大部は規格外部品であり、その連結が非常に煩雑であり、部品自体に対する精度の要求も極めて高く、組み立て精度の要求も非常に高く、さもないと、使用時運行不順の原因となり、一旦破損した場合は修理と取り換えが非常に煩雑であり、これによってリールの値段も高く、釣り愛好家たちに比較的大きな経済的負担を与えている。
【発明の概要】
【発明が解決しようとする課題】
【０００８】
既存技術の上記欠点を克服するために、本発明ではリール往復機構およびこの往復機構を用いた紡ぎ車式リールを提供する。
【課題を解決するための手段】
【０００９】
後端が動けるようにリールの中に挿入され、前端がリール上のスプールとの連結に用いられ、且つ往復ねじが設置されている主軸と、
リールの中に設置され、リール上のハンドルと伝動連結されるウォームディスクと、
前記主軸上に嵌め込まれて設置され、前記ウォームディスクと噛み合い、挿入溝（挿し溝）が設置されているウォームと、
往復ねじとフィッティングする接続ラッチを有し、この接続ラッチは前記挿し溝を通り抜け、前記往復ねじと噛み合う滑り爪を含む釣り糸リールの往復機構。
【００１０】
好ましくは、さらに一つのシールドリングを含み、前記ウォーム上には固定スリーブが嵌れ設置され、前記固定スリーブの周上に凹溝が設置され、前記凹溝の位置は前記挿入溝の位置と対応し、前記シールリング（シールドリング）は前記凹溝の中に嵌め込まれ、挿し溝の中に挿し込まれる滑り爪をしっかりと押し付ける。
【００１１】
好ましくは、さらに１つのリールの中に固定されるアクティブリミットブロックを含み、前記主軸の後端には扁平区切りがあり、前記アクティブリミットブロック上には扁平区切りとフィッティングするリミット穴が設置され、前記扁平区切りは前記リミット穴に挿し込まれ、リミット穴に沿って前後移動することができる。
【００１２】
好ましくは、前記アクティブリミットブロックの前端にはロッキング溝が設置され、前記ロッキング溝の中には第１ライナーが設置され、当該第１ライナーは前記主軸上に嵌れ設置され、前記主軸の前部には軸受け固定シートが設置され、前記軸受け固定シート上には第２ライナーとローター軸受けが設置され、前記ローター軸受けはリールのローターと突き合わせ接続される。
【００１３】
好ましくは、さらに保持ブロックを含み、当該保持ブロックは前記アクティブリミットブロックのフロント側に位置され、前記保持ブロック上には貫通穴が設置され、前記主軸は貫通穴を通り抜けてから再びアクティブリミットブロックのリミット穴に挿され、前記貫通穴中には第１ウォーム軸受けと第３ライナーが設置され、前記第３ライナーは前記主軸上に嵌め込まれて設置され、前記第１ウォーム軸受けは前記ウォーム上に嵌め込まれて設置され、前記ウォームの前部にはまた第２ウォーム軸受けが嵌め込まれて設置される。
【００１４】
ケーシングやケーシング片側に接続され、ウォームディスクと伝動連結されるハンドル、ケーシングの前端に位置され、ウォームと固定連結されるローター、ローターの中に位置され、主軸と固定連結されるスプール、および糸放しを停止させるブレーキ機構を含み、リール往復機構を含む紡ぎ車式リール。
【発明の効果】
【００１５】
主軸やウォームディスク、ウォーム、滑り爪との間のフィットによって構成されるリールの往復機構は、構造がとても簡単で、もっと合理的であり、接続も便利だし、使用上にも順調で安定であり、既存の煩雑で部品の多い往復機構に取って代わることができ、部品の精度と組立精度に対する要求も大きく低くなり、修理・交換も便利だし、製品の重量および構造スペースを大きく低減させ、製品が全体的により軽量化されると同時に、製品の信頼性と耐用性を増強し、製品の値段がより低くなり、より強い市場競争力を持たせる。
【図面の簡単な説明】
【００１６】
【図１】は本発明の分解図である。
【図２】は本発明の局所断面図である。
【図３】は図２中Ａ部分の拡大略図である。
【図４】は図２中Ｂ部分の拡大略図である。
【図５】は本発明の局所分解断面図である。
【図６】はリール往復機構の分解図である。
【図７】は滑り爪構造の略図である。
【発明を実施するための形態】
【００１７】
次では図面と具体的な実施形態に結合して、本発明についてさらに詳しく説明する。
図１〜図７のとおり、
後端が動けるようにリールの中に挿され、前端がリール上のスプール２との連結に用いられ、且つ往復ねじ３が設置されている主軸１と、
【００１８】
リールの中に設置され、リール上のハンドル５と伝動連結されるウォームディスク４と、好ましくは、前記ウォームディスク４はクラッチ２９を通じてハンドル５と接続され、
前記主軸１上に嵌め込まれて設置され、前記ウォームディスク４と噛み合い、挿し溝7が設置されているウォーム６と、
【００１９】
往復ねじ３とフィッティングする接続ラッチ９を有し、この接続ラッチ９は前記挿入溝（挿し溝）７を通り抜け、前記往復ねじ３と噛み合う滑り爪８を含む釣り糸リールの往復機構。
【００２０】
滑り爪８が往復ねじ３に沿って前後往復運動をする時に、滑り爪８は主軸１にぶつかり、一定のラジアル方向力と横方向力を受けて、滑り爪８がジャンピングするようになり、優れたリミット固定がないと、その位置は偏差が発生し易く、ひいては正常に使用できない場合もある。本実施例において、また一つのシールドリング１０を含み、前記ウォーム６上には固定スリーブ１１が嵌め込まれて設置され、前記固定スリーブ１１には１周りの凹溝１２が設置され、前記凹溝１２の位置は前記挿し溝７の位置と対応し合っており、前記シールリング（シールドリング）１０は前記凹溝１２の中に嵌れ、挿し溝７の中に挿し込まれる滑り爪８をしっかりと押し付ける。滑り爪８の正常な運行を確保するために、本実施例で提供されるリミット固定構造を使用することができ、具体的にはシールリング１０で滑り爪８を挿し溝７の中にしっかりと押し付けて、往復運動中に生じるジャンピング現象を除去し、いつも往復ねじ３と良く噛み合うようにするとともに、一定の密封役割を果たすようにし、外部の水滴または不純物が内部に入って、部品の使用に妨害しないようにする。それと同時に、シールリング１０の位置ずれを防ぐために、ウォーム６上には固定スリーブ１１が設置され、当該固定スリーブ１１はウォーム６上にしっかりと嵌れ設置され、その位置が移動し難くなり、これによってシールリング１０に対するりミットを実現する。勿論、当該固定スリーブ１１とウォーム６を一体化成型させることもでき、原価上昇の原因になるものの、その使用効果はより良くなる。
【００２１】
本実施例において、また１つのリールの中に固定されるアクティブリミットブロック１３を含み、前記主軸１の後端には扁平区切り１４があり、前記アクティブリミットブロック１３上には扁平区切り１４とフィッティングするリミット穴１５が設置され、前記扁平区切り１４は前記リミット穴１５に挿し込まれ、リミット穴１５に沿って前後移動することができる。アクティブリミットブロック１３を設置することによって、前後移動できる主軸１に対するリミット役割を果たし、固定された軌跡に沿って前後移動することができる。そして、主軸１の中間区切り本体部分２７は円柱形であり、後端は扁平区切り１４となっていて、リミット穴１５の主軸１中間区切り本体部分２７に対するリミットを形成させ、主軸１の回転を防ぐことができ、これによって、より良く前後移動距離に対する制御役割を果たすことができる。
【００２２】
好ましくて、前記アクティブリミットブロック１３の前端にはロッキング溝１６が設置され、前記ロッキング溝１６の中には第１ライナー１７が設置され、当該第１ライナー１７は前記主軸１上に嵌め込まれて設置され、前記主軸１の前部には軸受け固定シート２４が設置され、前記軸受け固定シート２４上には第２ライナー２５とローター軸受け２６が設置され、前記ローター軸受け２６はリールのローター２３と突き合わせ接続される。第１ライナー１７を設置することによって、主軸１が運動する時に保護役割を果たすことができ、主軸１とアクティブリミットブロック１３との間の摩擦を低減し、全体の運動をより順調にさせ、耐用年数を延ばすことができる。ローターの使用中は絶えず回転しなければならないので、ローター軸受け２６を設置することによって、摩擦を低減することができ、スプールの回転精度を保証し、さらに全体運動をより順調にさせ、耐用年数をより長くする。
【００２３】
主軸１の長さは比較的長いので、ただ末端だけにアクティブリミットブロック１３を通じて支持・固定すれば、優れた効果を達成し難く、主軸１の前後がバランスを失い、前後移動の不順の原因にもなる。本実施例において、また保持ブロック１８を含み、当該保持ブロック１８は前記アクティブリミットブロック１３のフロント側に位置され、前記保持ブロック１８上には貫通穴１９が設置され、前記主軸１は貫通穴1９を通り抜けてから再びアクティブリミットブロック１３のリミット穴１５に挿され、前記貫通穴１９中には第１ウォーム軸受け２０と第３ライナー２１が設置され、前記第３ライナー２１は前記主軸１上に嵌め込まれて設置され、前記第１ウォーム軸受け２０は前記ウォーム６上に嵌め込まれて設置され、前記ウォーム６の前部にはまた第２ウォーム軸受け２８が嵌れ設置される。保持ブロック１８上に第３ライナー２１を設置位することによって、主軸１の中間区切り本体部分２７に対する十分な支持を提供し、これによって、前後のバランスを保ち、さらに第１ウォーム軸受け２０と第２ウォーム軸受け２８を設置することによって、ウォームの回転を効果的に支持し、摩擦を低減し、その回転精度を保証し、さらに、全体の運行をより順調にし、耐用年数をさらに長くする。
【００２４】
本発明では、ケーシング２２やケーシング２２片側に接続され、ウォームディスク４と伝動連結されるハンドル５、ケーシング２２の前端に位置され、ウォーム６と固定連結されるローター２３、ローター２３の中に位置され、主軸１と固定連結されるスプール２、および糸放しを停止させるブレーキ機構を含み、また、リール往復機構を含む紡ぎ車式リール紡ぎ車式釣り糸リールを提供する。
【００２５】
本発明を使用する時に、ハンドル５を回して、ハンドル５でウォームディスク４の回転を駆動し、ウォームディスク４でさらにウォーム６の回転を駆動するとともに、伝動のステアリングを実現し、その後、ウォーム６は滑り爪８で主軸１の前後往復運動を駆動すると同時に、ウォーム６はローター２３の回転を駆動し、主軸１はスプール２の前後往復運動を駆動し、これによってスプール２上の釣り糸を遠くまで投げる。
【図１】
2020198866.tif 000003
【図２】
2020198866.tif 000004
【図３】
2020198866.tif 000005
【図４】
2020198866.tif 000006
【図５】
2020198866.tif 000007
【図６】
2020198866.tif 000008
【図７】
2020198866.tif 000009